(57)【要約】【課題】光学式ピックアップによって信号の記録動作を行う光ディスク再生装置のレーザー出力設定方法を提供する。【解決手段】ディスクに設けられている試し書き領域へテスト信号を記録するとともに記録されたテスト信号の記録品位を検出することによりレーザー出力を設定し、且つディスクへの記録動作を繰り返し行うことが出来る書き換え可能な光ディスク記録再生装置において、信号が記録されている記録済み領域への記録動作を行うとき、該記録済み領域にテスト信号をレーザー出力を変更しながら記録するともに記録されたテスト信号の記録品位を検出することによってレーザー出力を設定する。【選択図】    図１
2005011438.tif 000002
【特許請求の範囲】
【請求項１】
ディスクに設けられている試し書き領域へテスト信号を記録するとともに記録されたテスト信号の記録品位を検出することによりレーザー出力を設定し、且つディスクへの記録動作を繰り返し行うことが出来る書き換え可能な光ディスク記録再生装置において、信号が記録されている記録済み領域への記録動作を行うとき、該記録済み領域にテスト信号をレーザー出力を変更しながら記録するともに記録されたテスト信号の記録品位を検出することによってレーザー出力を設定するようにしたことを特徴とする光ディスク記録再生装置のレーザー出力設定方法。
【請求項２】
ディスクに設けられている試し書き領域へテスト信号を記録するとともに記録されたテスト信号の記録品位を検出することによりレーザー出力を設定し、且つディスクへの記録動作を繰り返し行うことが出来る書き換え可能な光ディスク記録再生装置において、信号が記録されている記録済み領域への記録動作を行うとき、試し書き領域へのテスト信号の記録動作により設定されたレーザー出力にて前記記録済み領域へのテスト信号の記録動作を行い、記録されたテスト信号の記録品位を検出することによってレーザー出力の補正動作を行うようにしたことを特徴とする光ディスク記録再生装置のレーザー出力設定方法。
【請求項３】
記録品位の検出を再生信号のエラー数に基づいて行うようにしたことを特徴とする請求項１又は請求項２に記載のレーザー出力設定方法。
【請求項４】
記録品位の検出をβ値に基づいて行うようにしたことを特徴とする請求項１又は請求項２に記載のレーザー出力設定方法。
【請求項５】
記録開始位置が信号記録済みの領域の場合のみ該記録済み領域へのテスト信号の記録動作によるレーザー出力の設定動作を行うようにしたことを特徴とする請求項１又は請求項２に記載のレーザー出力設定方法。
【発明の詳細な説明】
【０００１】
【発明の属する技術分野】
本発明は、光学式ピックアップより照射されるレーザーによってディスクに信号を記録するとともにレーザーによってディスクに記録されている信号の再生動作を行うように構成された光ディスク記録再生装置に関する。
【０００２】
【従来の技術】
光学式ピックアップを用いてディスクに記録されている信号の読み出し動作を行うディスクプレーヤーが普及しているが、最近では、再生機能に加えて光学式ピックアップより照射されるレーザーによってディスクに信号を繰り返し記録することが出来るように構成された書き換え可能な光ディスク記録再生装置が商品化されている。
【０００３】
また、最近では、規定の記録線速度に対して、４倍、８倍及び１２倍等の高速の線速度一定にてディスクを回転制御した状態で信号を記録することが出来るように構成された光ディスク記録再生装置が開発されている。斯かる光ディスク記録再生装置としては、信号の記録動作を１回のみ行うことが出来る追記型ディスクを使用するものと繰り返し信号の記録動作を行うことが出来る書き換え可能ディスクを使用するものとがある。
【０００４】
光ディスク記録再生装置においては、信号を記録するためのレーザー出力を使用するディスクの特性に合わせて正確に設定する必要がある。信号を記録することが出来る記録用ディスクには、ディスクの内周側にレーザー出力を設定するための領域、即ち試し書き領域が設けられており、光ディスク記録再生装置では、前記試し書き領域にテスト信号をレーザー出力を変更しながら記録し、その記録されたテスト信号を再生することによってディスクの特性に合ったレーザー出力を設定するように構成されている。
【０００５】
書き換え可能なディスクを使用する光ディスク記録再生装置においても前述した試し書き領域へのテスト信号の記録再生動作によってレーザー出力を設定するように構成されているが、信号を記録するために設定された記録領域に信号が既に記録されている場合には、記録済みの信号の上に信号が記録されるという記録動作、即ちオーバーライトと呼ばれる記録動作が行われることになる。
【０００６】
オーバーライト記録を行う場合、試し書き領域にて設定されたレーザー出力により記録動作を行うことが出来るもののそのレーザー出力は最適とは言えないものである。即ち、オーバーライト記録動作を行った場合、既に記録されていた信号の記録状態によって記録品位が変化するという特性があるので、試し書き領域にて設定されたレーザー出力は最適とは言えないものとなる。
【０００７】
オーバーライトする場合のレーザー出力を設定する方法として、記録されている信号の振幅を測定し、その振幅と同じ振幅のレーザー出力に設定するものがある（例えば、特許文献１参照。）。
【０００８】
【特許文献１】
特開２００２−２５１７４４号公報
【０００９】
【発明が解決しようとする課題】
特許文献１に記載の技術は、記録されている信号の振幅を測定することによってレーザー出力の設定動作を行うようにされているが、斯かる技術は前以って設定されている対照表に基づいてレーザー出力を設定するため、実際に使用するディスクの特性と合致するとは言えないものであり、そのディスクに最適なレーザー出力にてオーバーライト記録動作を行うことが出来ないという問題がある。
【００１０】
本発明は、斯かる問題を解決することが出来る光ディスク記録再生装置のレーザー出力設定方法を提供しようとするものである。
【００１１】
【作用】
本発明は、ディスクに設けられている試し書き領域へテスト信号を記録するとともに記録されたテスト信号の記録品位を検出することによりレーザー出力を設定し、且つディスクへの記録動作を繰り返し行うことが出来る書き換え可能な光ディスク記録再生装置において、信号が記録されている記録済み領域への記録動作を行うとき、該記録済み領域にテスト信号をレーザー出力を変更しながら記録するともに記録されたテスト信号の記録品位を検出することによってレーザー出力を設定するように構成されている。
【００１２】
【実施例】
図１は本発明に係る光ディスク記録再生装置の一実施例を示す回路図、図２は本発明に係るディスクの説明図、図３は本発明を説明するための波形図である。
【００１３】
図１において、１はスピンドルモーター（図示せず）によって回転駆動されるターンテーブル（図示せず）に載置されるディスクであり、該ターンテーブルの回転により回転駆動されるように構成されている。また。前記ディスク１には、位置情報データがプリグルーブと呼ばれる溝によって記録されており、この溝より得られるウォブル信号に基づいて信号の記録再生動作が行われるように構成されている。２はディスク１にレーザー光を照射させるレーザーダイオード及び該レーザーダイオードより照射される光をモニターするモニター用ダイオードが組み込まれているとともにディスク１の信号面より反射されるレーザー光を受ける光検出器が組み込まれている光学式ピックアップであり、ピックアップ送り用モーター（図示せず）によってディスク１の径方向に移動せしめられるように構成されている。
【００１４】
３は前記光学式ピックアップ２に組み込まれている光検出器から得られるＲＦ信号を増幅するとともに波形成形するＲＦ信号増幅回路であり、２値化した信号を出力するように構成されている。４は前記ＲＦ信号増幅回路３等を介して得られる信号に基づいて前記光学式ピックアップ２から照射されるレーザー光をディスク１の信号面に合焦させるフォーカシング制御動作及び該レーザー光を前記信号面の信号トラックに追従させるトラッキング制御動作を行うピックアップ制御回路である。
【００１５】
５は前記ＲＦ信号増幅回路３より出力される信号のデジタル信号処理を行うとともに各種信号の復調動作を行うデジタル信号処理回路であり、再生される信号のエラー訂正動作やエラー数を表す信号を生成出力するように構成されている。６は前記デジタル信号処理回路５にて信号処理されたデジタル信号が入力される信号再生用回路であり、ディスク１に記録されている情報がオーディオ信号である場合には、アナログ信号に変換した後増幅器等に出力し、コンピューターソフトのようなデータ信号の場合にはデジタル信号のままホストとして接続されているコンピューター装置７に出力する作用を成すものである。
【００１６】
８は前記デジタル信号処理回路５により復調された信号が入力されるとともに前記コンピューター装置７から出力される命令信号に応じて種々な制御動作を行うシステム制御回路であり、ディスク１より再生される同期信号に基づいて信号再生用のクロック信号や記録用のクロック信号を生成するクロック信号生成回路（図示せず）が周知のように組み込まれている。また、斯かるクロック信号生成回路には、周知のように位相比較回路、チャージポンプ回路及び電圧制御発振回路等より成るＰＬＬ回路が組み込まれている。
【００１７】
９はテスト信号や情報信号等の記録信号が入力されるとともにディスク１に該信号を記録するためのエンコード処理を行う信号記録用回路、１０は前記光学式ピックアップ２に組み込まれているレーザーダイオードに駆動電流を供給するレーザー駆動回路であり、前記信号記録用回路９より出力される記録用信号に基づく駆動電流を供給するように構成されている。１１は前記システム制御回路８によって動作が制御されるレーザー出力制御回路であり、前記レーザー駆動回路１０より出力される駆動電流を制御するように構成されている。
【００１８】
１２は前記デジタル信号処理回路５より出力されるエラー数を表す信号に基づいて再生される信号の品位、即ちディスク１に記録されている信号の記録品位を検出する記録品位検出回路である。
【００１９】
以上に説明したように本発明に係る光ディスク記録再生装置は構成されているが、次にディスク１について図２を参照して説明する。図２において、Ａはディスク１の内周側に設けられている試し書き領域、Ｂは該試し書き領域Ａの外側に設けられているＰＭＡと呼ばれるバッファ領域であり、ディスク１の記録動作を制御するための位置情報データが記録されている。Ｃは前記バッファ領域Ｂの外側に設けられているリードイン領域であり、ディスク１の信号記録領域Ｓに記録されているデータの位置を示す位置情報データが記録されている。前記信号記録領域Ｓの中の斜線で示す領域Ｓ１は、信号が既に記録されている記録済み領域である。
【００２０】
以上の如く、本発明に係る光ディスク記録再生装置は構成されているが、次に斯様に構成された回路における再生動作について説明する。コンピューター装置７よりドライブ装置を構成するシステム制御回路８に対して再生動作を行うための命令信号が出力されると、該システム制御回路８による再生動作のための制御動作が開始される。斯かる再生動作が行われる場合には、光学式ピックアップ２に組み込まれているレーザーダイオードには、信号の読み出し動作を行うためのレーザー出力が得られる駆動電流がレーザー駆動回路１０より供給されるようにレーザー出力制御回路１１によって設定されている。
【００２１】
斯かる再生動作のための制御動作が開始されると、スピンドルモーター制御回路によるスピンドルモーターの回転制御動作が行われるが、斯かるスピンドルモーターの回転制御動作は、ウォブル信号をデコードして得られる同期信号と基準信号生成回路（図示せず）より出力される基準信号とを比較することによりディスク１を線速度一定にて回転駆動するように行われる。斯かる制御動作は、後述する信号の記録動作時にも同様に行われる。
【００２２】
スピンドルモーターの回転制御動作は、以上の如く行われるが、信号の読み出し動作を行う光学式ピックアップ２では、ピックアップ制御回路４によるフォーカシング制御動作及びトラッキング制御動作が開始されて該光学式ピックアップ２によるディスク１からの信号の読み出し動作が開始されるが、再生動作に先だってディスク１のリードイン領域Ｃに記録されている位置情報データの読み出し動作が行われる。
【００２３】
ディスク１に設けられているリードイン領域Ｃに記録されている位置情報データに基づいて再生動作は行われるが、前記光学式ピックアップ２によって読み出された信号は、ＲＦ信号増幅回路３を通して増幅及び２値化された後デジタル信号処理回路５に入力されて信号の復調動作が行われる。前記デジタル信号処理回路５により信号処理が行われて情報データが抽出されると、該情報データは誤り訂正等の信号処理が行われた後、信号再生用回路６に印加される。
【００２４】
そして、前記信号再生用回路６は、ディスク１から読み出された情報データがオーディオ信号である場合には、アナログ信号に変換した後増幅器等に出力し、コンピューターソフトのようなデータ信号の場合にはデジタル信号のままコンピューター装置７に出力することになる。
【００２５】
以上に説明したように本実施例における再生動作は行われるが、次にディスク１への信号の記録動作について説明する。
【００２６】
ディスク１に信号を記録する動作は、まずディスク１に設けられている試し書き領域Ａにテスト信号を記録し、その信号を再生することにより記録動作に最適なレーザー出力が得られる駆動電流がレーザー駆動回路１０よりレーザーダイオードに供給されるように設定するというレーザー出力の設定動作が行われる。斯かるレーザー出力の設定動作は、後述するように行われるが、レーザー出力の設定が終了すると、ディスク１に設けられているバッファ領域Ｂに記録されている情報データ、即ち信号記録領域Ｓに記録されている信号の位置情報等を読み出す動作が行われる。
【００２７】
このようにして読み出された情報データに基づいてディスク１に設けられている信号記録領域Ｓにデータ信号の記録動作が可能であるか、また、記録動作を行う位置は何処か等の認識動作が行われ、その認識動作に基づいて光学式ピックァツプ２を所望の位置に移動させてデータ信号の記録動作が周知の動作によって行われる。
【００２８】
以上に説明したように本実施例における信号の記録動作は行われるが、次に本発明の要旨であるレーザー出力の設定方法について説明する。
【００２９】
通常のレーザー出力の設定動作は、ディスク１の内周側に設けられている試し書き領域Ａにレーザー出力をレーザー出力制御回路１１による制御動作によって例えば段階的に変化させながらテスト信号を記録した後、その記録されたテスト信号の再生動作を行い、その再生される信号の記録品位を記録品位検出回路１２により検出することによって行われる。
【００３０】
そして、本実施例では、記録品位検出回路１２による記録品位の検出動作を再生信号のエラー数によって行うようにされている。前述した動作によって試し書き領域Ａに記録されたテスト信号を再生し、その再生信号にエラーがあれば、デジタル信号処理回路５に組み込まれているエラー訂正回路によるエラー訂正動作が行われることになる。そして、記録品位検出回路１２では、前記エラー訂正回路によって訂正されるエラーの数をレーザー出力を変化させて記録された信号に対応させてカウントし、そのカウント数の変化を検出することによってレーザーの出力を設定することが出来る。
【００３１】
レーザー出力を段階的に変化させながらテスト信号を記録し、その記録されたテスト信号の再生動作を行い、各レーザー出力に対応して記録されたテスト信号の再生信号に対して行われるエラー訂正動作の回数をカウントすると、カウント数は多い数から次第に減少し、ある点より次第に増加することになる。そして、このエラー数が減少から増加に変化する直前が最もエラー訂正の数が少ない再生信号であり、この信号を記録したレーザー出力が最も適したレーザー出力となる。このようにして設定されたレーザー出力にて信号の記録動作を行えばエラーが最も少ない記録動作、即ち最も記録特性の良い記録動作を行うことが出来る。
【００３２】
前述した動作によって設定されたレーザー出力は、ディスク１の信号記録領域Ｓの信号が記録されていない位置Ｓ２への記録動作を行う場合や信号が記録されている記録済み領域Ｓ１に信号をオーバーライト記録する場合を考慮して設定されるが、記録済み領域Ｓ１に記録済みの信号は規定のレーザー出力にて記録されていることが前提として設定されることになる。
【００３３】
従って、オーバーライトされる記録済み領域Ｓ１に記録されている信号が規定のレーザー出力にて記録されていなかった場合には、試し書き領域にて設定されたレーザー出力は、オーバーライト記録するための出力として最適とは言えないことになる。
【００３４】
本発明は、コンピューター装置７より出力される記録命令信号によってオーバーライト記録する場合には、そのオーバーライトする位置に光学式ピックアップ２を移動させてレーザー出力の設定動作を行うように構成されている。即ち、斯かるレーザー出力の設定動作は、試し書き領域Ａにて行われたようにテスト信号をレーザー出力を変更しながら記録するとともにその記録された信号の再生信号に含まれるエラー数をカウントすることによって行われる。
【００３５】
斯かるレーザー出力の設定動作がオーバーライトされる記録済み領域Ｓ１にて行われるため、記録済み領域Ｓ１にすでに記録されている信号がとのようなレーザー出力によって記録されていたとしてもオーバーライトするために最適なレーザー出力にて信号の記録動作を行うことが出来る。
【００３６】
以上の如く本発明におけるレーザー出力の設定動作は行われるが、次に他の実施例について説明する。前述した実施例では、記録済み領域Ｓ１におけるテスト信号の記録動作をレーザー出力を変更しながら行ったが、試し書き領域Ａにおけるレーザー出力の設定動作によって設定されたレーザー出力にてテスト信号の記録動作を行い、その記録された信号の品位を記録品位検出回路１２によって検出することによって行うことが出来る。
【００３７】
試し書き領域Ａにおけるレーザー出力の設定動作によって設定されたレーザー出力によるテスト信号の記録動作を記録済み領域Ｓ１にて行い、その記録品位の検出動作を行い、前以って設定されている記録品位との比較動作を行う。そして、その記録品位が相違していた場合には、その記録品位の相違の程度に応じてレーザー出力を補正する動作が行われる。そして、斯かる場合におけるレーザー出力の補正動作は、レーザー出力を大きくする方向に対して行われる。その理由は、記録済み領域Ｓ１に記録されている信号の記録動作が、試し書き領域Ａにおけるレーザー出力の設定動作によって設定されたレーザー出力より小さい場合には、記録品位が影響を受けることが少なく、反対に記録済み領域Ｓ１に記録されている信号の記録動作が、試し書き領域Ａにおけるレーザー出力の設定動作によって設定されたレーザー出力より大きい場合には、記録品位が影響を受けることが大きいためである。斯かる影響を受けた場合には、レーザー出力を大きくすることによって記録品位を向上させることが出来る。
【００３８】
前述した実施例における記録品位検出回路１２による検出動作は、再生信号に含まれるエラー数を検出することによって行うようにしたが、β値にて記録品位を検出することも出来る。ここで、β値について説明する。図３はディスク１に記録されている信号を再生した高周波信号の波形図であり、Ａ１及びＡ２は各々プラス側のピークレベル及びマイナス側のピークレベルである。
【００３９】
斯かる条件において、β値は、β＝（Ａ１＋Ａ２）／（Ａ１−Ａ２）と表され、このβの値が例えば０．０４のとき、最適なレーザー出力にて信号が記録されると規格設定されている。従って、記録済み領域Ｓ１に記録されたテスト信号のβ値を検出することによって記録品位の検出動作を行うことが出来るので、記録済み領域Ｓ１におけるレーザー出力の設定動作を行うことが出来る。
【００４０】
【発明の効果】
本発明は、ディスクに設けられている試し書き領域へテスト信号を記録するとともに記録されたテスト信号の記録品位を検出することによりレーザー出力を設定し、且つディスクへの記録動作を繰り返し行うことが出来る書き換え可能な光ディスク記録再生装置において、信号が記録されている記録済み領域への記録動作を行うとき、該記録済み領域にテスト信号をレーザー出力を変更しながら記録するともに記録されたテスト信号の記録品位を検出することによってレーザー出力を設定するようにしたので、オーバーライト記録動作を最適なレーザー出力にて行うことが出来る。
【００４１】
また、本発明は、ディスクに設けられている試し書き領域へテスト信号を記録するとともに記録されたテスト信号の記録品位を検出することによりレーザー出力を設定し、且つディスクへの記録動作を繰り返し行うことが出来る書き換え可能な光ディスク記録再生装置において、信号が記録されている記録済み領域への記録動作を行うとき、試し書き領域へのテスト信号の記録動作により設定されたレーザー出力にて前記記録済み領域へのテスト信号の記録動作を行い、記録されたテスト信号の記録品位を検出することによってレーザー出力の補正動作を行うようにしたので、オーバーライト記録動作を最適なレーザー出力にて行うことが出来る。
【００４２】
そして、本発明は、記録品位の検出を再生信号のエラー数に基づいて行うようにしたので、即ち光ディスク記録再生装置が備えているエラー訂正機能を利用することが出来るので、特別な手段を設けることなく光ディスク記録再生装置に組み込むことが出来るという利点を有している。
【００４３】
また、本発明は、記録品位の検出をβ値に基づいて行うようにしたので、記録品位の検出を正確に行うことが出来る。
【００４４】
そして、本発明は、記録開始位置が信号記録済みの領域の場合のみ該記録済み領域へのテスト信号の記録動作によるレーザー出力の設定動作を行うようにしたので、効率良くレーザー出力の設定動作を行うことが出来る。
【図面の簡単な説明】
【図１】本発明に係る光ディスク記録再生装置の一実施例を示す回路図である。
【図２】本発明に係るディスクの説明図である
【図３】本発明を説明するための波形図である。
【符号の説明】
１        ディスク
２        光学式ピックアップ
５        デジタル信号処理回路
７        コンピューター装置
８        システム制御回路
９        信号記録用回路
１０        レーザー駆動回路
１１        レーザー出力制御回路
１２        記録品位検出回路
【図１】
2005011438.tif 000003
【図２】
2005011438.tif 000004
【図３】
2005011438.tif 000005